(57)【要約】【課題】  取扱説明書が手元に無くても、必要とする情報を容易に確認できる眼科撮影装置システムを提供すること。【解決手段】  被検眼観察手段と被検眼を撮像する撮像素子を持つ撮影手段とが設けられた撮影装置本体と、該撮影装置本体から転送された撮影画像を記憶保存し、該記憶保存した撮影画像を表示するディスプレイを持つファイリング用コンピュータとを備える眼科撮影装置システムにおいて、前記撮影装置本体で発生した故障や操作ミスのエラーの種別を判定するエラー判定手段と、該判定されたエラーの種別を示すエラー信号を前記コンピュータに出力するエラー信号出力手段とを前記撮影装置本体に設け、前記エラー信号に基づいてそのエラー内容とエラーの対処方法を含むエラー詳細情報を前記ディスプレイに表示する表示制御手段を前記コンピュータに設けた。【選択図】      図３
2006042939.tif 000002
【特許請求の範囲】
【請求項１】
被検眼観察手段と被検眼を撮像する撮像素子を持つ撮影手段とが設けられた撮影装置本体と、該撮影装置本体から転送された撮影画像を記憶保存し、該記憶保存した撮影画像を表示するディスプレイを持つファイリング用コンピュータとを備える眼科撮影装置システムにおいて、前記撮影装置本体で発生した故障や操作ミスのエラーの種別を判定するエラー判定手段と、該判定されたエラーの種別を示すエラー信号を前記コンピュータに出力するエラー信号出力手段とを前記撮影装置本体に設け、前記エラー信号に基づいてそのエラー内容とエラーの対処方法を含むエラー詳細情報を前記ディスプレイに表示する表示制御手段を前記コンピュータに設けたことを特徴とする眼科撮影装置システム。
【請求項２】
請求項１の眼科撮影装置システムにおいて、前記撮影装置本体で発生したエラーが解消されたことを判定する解消判定手段と、該判定に基づいてエラー解消信号を前記コンピュータに出力するエラー解消信号出力手段とを前記撮影装置本体に設け、前記表示制御手段は前記エラー解消信号に基づいて前記ディスプレイに表示したエラー詳細情報を消去することを特徴とする眼科撮影装置システム。
【請求項３】
被検眼観察手段と被検眼を撮像する撮像素子を持つ撮影手段とが設けられた撮影装置本体と、該撮影装置本体から転送された撮影画像を記憶保存し、該記憶保存した撮影画像を表示するディスプレイを持つファイリング用コンピュータとを備える眼科撮影装置システムにおいて、前記撮影装置本体の動作モードを切換えるモード切換え手段と、該モード切換え手段のモード切換え信号を前記コンピュータに出力する出力手段と、を前記撮影装置本体に設け、前記切換え信号に基づいて前記撮影装置本体の動作モードに対応して操作者をアシストするための詳細情報を前記ディスプレイに表示する表示制御手段を前記コンピュータに設けたことを特徴とする眼科撮影装置システム
【請求項４】
請求項３の眼科撮影装置システムにおいて、前記モード切換え手段の動作モードは少なくとも被検眼を前記撮像素子による撮影する撮影モードと撮影された画像を再生する再生モードとを含み、前記撮影装置本体は前記動作モードに応じて異なる内容を表示する画面を切換えるモニタを持ち、前記表示制御手段は前記モニタの画面に表示された内容に対する詳細情報を前記ディスプレイに表示することを特徴とする眼科撮影装置システム。
【発明の詳細な説明】
【技術分野】
【０００１】
本発明は、眼科医院等で使用される眼科撮影装置システムに関する。
【背景技術】
【０００２】
眼底カメラ等の眼科撮影装置で撮影された被検眼の撮影像は、各種の診断に使用される。近年では、撮影手段としてＣＣＤカメラなどのデジタル撮像素子が用いられるようになってきている。また、眼科撮影装置により得られたデジタル撮影画像を、ファイリング用コンピュータ（パーソナルコンピュータ）に転送し、転送された撮影画像をコンピュータが持つディスプレイ上で観察して診断したり、画像解析したりしている（例えば、特許文献１参照）。
【特許文献１】特開２００２−１６５７６１号公報
【発明の開示】
【発明が解決しようとする課題】
【０００３】
ところで、従来装置においては、撮影装置本体に搭載されている観察用モニタ等の表示器のサイズや表示機能が制限されているため、撮影装置本体でエラー（故障や操作ミス）が発生した場合、そのエラーコードを表示するか、精々簡単なエラー内容を表示器に表示する程度であった。このため、操作者はエラーが発生する都度、撮影装置本体の取扱説明書を用意し、エラーコードに該当する部分を見つけてそのエラー内容と対処方法を知るほか無く、これは手間であった。
【０００４】
また、撮影装置本体のエラーに限らず、装置の使用方法や装置の設定状態、モニタに表示情報を詳細に知りたい場合も、やはり取扱説明書を用意して、該当箇所を探して見なければならず、手間であった。取扱い説明書が手元に無いと、撮影がスムーズにできないとうい問題もある。
【０００５】
本発明は、取扱説明書が手元に無くても、必要とする情報を容易に確認できる眼科撮影装置システムを提供することを技術課題とする。
【課題を解決するための手段】
【０００６】
上記課題を解決するために、本発明は以下のような構成を備えることを特徴とする。
（１）  被検眼観察手段と被検眼を撮像する撮像素子を持つ撮影手段とが設けられた撮影装置本体と、該撮影装置本体から転送された撮影画像を記憶保存し、該記憶保存した撮影画像を表示するディスプレイを持つファイリング用コンピュータとを備える眼科撮影装置システムにおいて、前記撮影装置本体で発生した故障や操作ミスのエラーの種別を判定するエラー判定手段と、該判定されたエラーの種別を示すエラー信号を前記コンピュータに出力するエラー信号出力手段とを前記撮影装置本体に設け、前記エラー信号に基づいてそのエラー内容とエラーの対処方法を含むエラー詳細情報を前記ディスプレイに表示する表示制御手段を前記コンピュータに設けたことを特徴とする。
（２）  （１）の眼科撮影装置システムにおいて、前記撮影装置本体で発生したエラーが解消されたことを判定する解消判定手段と、該判定に基づいてエラー解消信号を前記コンピュータに出力するエラー解消信号出力手段とを前記撮影装置本体に設け、前記表示制御手段は前記エラー解消信号に基づいて前記ディスプレイに表示したエラー詳細情報を消去することを特徴とする。
（３）  被検眼観察手段と被検眼を撮像する撮像素子を持つ撮影手段とが設けられた撮影装置本体と、該撮影装置本体から転送された撮影画像を記憶保存し、該記憶保存した撮影画像を表示するディスプレイを持つファイリング用コンピュータとを備える眼科撮影装置システムにおいて、前記撮影装置本体の動作モードを切換えるモード切換え手段と、該モード切換え手段のモード切換え信号を前記コンピュータに出力する出力手段と、を前記撮影装置本体に設け、前記切換え信号に基づいて前記撮影装置本体の動作モードに対応して操作者をアシストするための詳細情報を前記ディスプレイに表示する表示制御手段を前記コンピュータに設けたことを特徴とする
（４）  （３）の眼科撮影装置システムにおいて、前記モード切換え手段の動作モードは少なくとも被検眼を前記撮像素子による撮影する撮影モードと撮影された画像を再生する再生モードとを含み、前記撮影装置本体は前記動作モードに応じて異なる内容を表示する画面を切換えるモニタを持ち、前記表示制御手段は前記モニタの画面に表示された内容に対する詳細情報を前記ディスプレイに表示することを特徴とする。
【発明の効果】
【０００７】
本発明によれば、取扱説明書が手元に無くても、必要とする情報を容易に確認できる。
【発明を実施するための最良の形態】
【０００８】
以下、本発明の実施形態を図面に基づいて説明する。ここでは眼科撮影装置の実施形態として、被検眼の眼底を撮影する眼底カメラを基に説明する。図１は眼科撮影装置システムの概略構成図である。
【０００９】
撮影装置本体である眼底カメラ１００とファイリング装置であるコンピュータ１３０（以下ＰＣ）とは、通信ケーブル１２０で接続されている。眼底カメラ１００で撮影された眼底画像は通信ケーブル１２０を介してＰＣ１３０に送られる。ＰＣ１３０では眼底画像が記憶保存、表示され、疾患の診断等に利用される。眼底カメラ１００は、スタンドアローンで動作可能な撮影装置であり、ＣＣＤ等の撮像素子やランプ等を有する撮影ユニット１０２と、観察画像や患者情報、設定等を表示するモニタ１０３と、各種の操作スイッチを持つ操作パネル１０４と、撮影ユニット１０２を搭載しベース１０７上を移動可能なスライドベース１０６と、スライドベース１０６を移動させるためのジョイスティック１０５と、等を備える。ＰＣ１３０は画像データ等を記録、保存、画像解析処理する制御ユニット１３１と、画像データ等を表示するカラーのディスプレイ１３２と、入力手段としてのキーボード１３３と、入力ポインティング手段としのマウス１３４から構成される。ＰＣ１３０は、市販のパーソナルコンピュータを使用できる。
【００１０】
図２は、眼底カメラ１００の光学系及び制御系の概略構成図である。光学系は照明光学系１、撮影光学系２、観察光学系３から大別構成される。
【００１１】
＜照明光学系＞  観察用光源であるハロゲンランプ１０から出射された光束は、赤外フィルタ１１、コンデンサレンズ１２によって赤外光束とされた後、ハーフミラー１５で反射され、リングスリット１６を照明する。また、フラッシュランプ１３から出射される可視光束は、コンデンサレンズ１４を介した後、ハーフミラー１５を透過してリングスリット１６を照明する。リングスリット１６からの光束は、リレーレンズ１７ａ、ミラー１８、黒点板１９、リレーレンズ１７ｂを介して、穴開きミラー２１の開口部近傍に中間像を形成し、撮影光学系２の光軸と同軸になるように穴開きミラー２１の周辺面で反射される。穴開きミラー２１で反射したリングスリット光束は、対物レンズ２０により被検眼Ｅの瞳孔付近で一旦結像した後、拡散して被検眼眼底部を一様に照明する。１０aはハロゲンランプ１０のランプ切れを検知するランプ検知器である。
【００１２】
＜撮影光学系＞  撮影光学系２は、対物レンズ２０、撮影絞り２２、光軸方向に移動可能なフォーカシングレンズ２４、結像レンズ２５、ダイクロイックミラー２６、撮影用のカラーＣＣＤカメラ（撮像素子）２７を備える。眼底からの反射光は、対物レンズ２０〜ダイクロイックミラー２６を経てＣＣＤカメラ２７に入射し、その撮像面に眼底像を結像する。
ダイクロイックミラー２６は赤外光を反射し、可視光を透過する特性を有する。
【００１３】
＜観察光学系＞  観察光学系３は、撮影光学系２の対物レンズ２０からダイクロイックミラー２６までを共用する。ダイクロイックミラー２６によって反射された赤外反射光は、リレーレンズ３０を透過した後、ミラー３１で反射されて観察用のＣＣＤカメラ（撮像素子）３２に入射し、その撮像面に眼底像を結像する。
【００１４】
＜制御系＞  ＣＣＤカメラ２７及び３２の出力は、表示制御部５０に接続されている。表示制御部５０は、ＣＣＤカメラ２７で撮像された画像を記憶する一時記憶メモリ５１を持ち、モニタ１０３の表示画面をＣＣＤカメラに撮像された動画の観察像と一時記憶メモリ５１に記憶された静止画像とに切換え制御する。また、表示制御部５０は、モニタ１０３の動画の観察像や静止画像に重ねて文字を表示するスーパーインポーズの機能を持つ。なお、モニタ１０３の画面サイズは、眼底カメラ１００を大型化させないために、例えば６．４インチであり、アライメントの観察用には十分なサイズである。
【００１５】
表示制御部５０は、フラッシュランプ１３やハロゲンランプ１０等を制御する主制御部５２に接続されている。主制御部５２には、ランプ検知器１０ａ、操作パネル１０４、可搬性の電子記憶媒体であるＰＣカード６０を接続するコネクタ５５、撮影スイッチ５６等が接続されている。
【００１６】
眼底撮影につて簡単に説明する。撮影者は操作パネル１０４に設けられたモード切換えスイッチで撮影モード（アライメントモード）に切換える。撮影モード時には、ハロゲンランプ１０が点灯され、被検眼が赤外光で照明される。赤外光で照明された眼底は、ＣＣＤカメラ３２で撮像される。また、撮影モードにおいては、表示制御部５０によりＣＣＤカメラ３２の映像信号がモニタ１０３に出力され、モニタ１０３に観察画像が表示される。撮影者は操作パネル１０４のスイッチを操作して、観察照明光量や撮影光量を設定した後、モニタ１０３に表示される眼底像を観察し、被検眼に対する撮影ユニット１０２のアライメント調整とフォーカス合わせを行い、撮影スイッチ５６を押して撮影を実行する。フラッシュランプ１３の発光により照明された眼底がＣＣＤカメラ２７により撮像され、その撮影画像は一時記憶メモリ５１に記憶される。同時に、モニタ１０３の表示画面が一時記憶部５１に記憶された眼底画像に切換えられる。操作パネル１０４の画像転送スイッチを押すと、一時記憶部５１に記憶された眼底画像がケーブル１２０を介してＰＣ１３０の制御ユニット１３１に転送され、その画像が記憶される。制御ユニット１３１は、ディスプレイ１３２の表示を制御し、転送された眼底画像をその画面に表示する。また、ＰＣカード６０が接続されている時には、操作パネル１０４のセーブスイッチを押すことにより、一時記憶メモリ５１に記憶された画像が転送記憶される。
【００１７】
ＰＣ１３０側のディスプレイ１３２は、眼底画像を詳細に観察できるように、通常は眼底カメラ１００のモニタ１０３よりも大きな画面サイズを持ち、その解像度もモニタ１０３より高いものが使用される。また、制御ユニット１３１は眼底カメラ１００よりも高いグラフィック機能を持つ。
【００１８】
次に、本装置における特徴的なエラーの表示の動作を説明する。図３はエラー表示／終了との手順を示したフローチャートである。眼底カメラ１００で故障や操作ミス等のエラーが発生すると（ステップＳ１−１）、主制御部５２はエラーの種別を判定し、そのエラーの種別を示すエラー信号を表示制御部５０及びＰＣ１３０に出力する。表示制御部５０は、エラー信号に対応したエラーコードを、図２に示すように、モニタ１０３に表示する（ステップＳ２−１）。これにより、操作者は眼底カメラ１００にエラーが発生したことを認識できる。一方、ＰＣ１３０の制御ユニット１３１は、眼底カメラ１００から出力されたエラー信号を受信すると（ステップＳ２−１）、エラー詳細情報表示のプログラムを起動し、そのエラー信号に対応したエラーの詳細な内容とその対処方法を呼び出し、これをディスプレイ１３２に表示する（ステップＳ２−２）。ディスプレイ１３２は、モニタ１０３よりも表現能力が高いため、エラーの原因やその対処方法まで詳細に、かつ分かりやすく表示することが可能である。
【００１９】
ディスプレイ１３２に表示されたエラー対処方法に従って、操作者により眼底カメラ１００のエラーのリカバリーがなされると、主制御部５２はエラー解消を検知してエラー解消信号を表示制御部５０及びＰＣ１３０に出力する（ステップＳ１−３）。表示制御部５０は、エラー解消信号に従ってモニタ１０３のエラー表示を消去する（ステップＳ１−４）。また、制御ユニット１３１はエラー解消信号が入力されると（ステップＳ２−４）、ディスプレイ１３２のエラー詳細情報を消去する（ステップＳ２−５）。なお、ディスプレイ１３２のエラー詳細情報の消去は、眼底カメラ１００からのエラー解消信号を待たなくても、キーボード１３３又はマウス１３４の入力手段により消去可能である（ステップＳ２−３）。
【００２０】
エラーの種別としては、例えば、ハロゲンランプ１０のランプ切れエラー、フラッシュランプ１３のフラッシュ光量エラー、観察用ＣＣＤカメラ３２からの信号入力エラー、フォーカシングレンズ２４の初期位置エラー、ＰＣカード６０の読み込み／書き込みエラー、ＰＣカード６０のフォーマットエラー、等がある。以下、ハロゲンランプ１０のランプ切れエラーとＰＣカード６０の読み込み／書き込みエラーの表示例を説明する。
【００２１】
図４は、ハロゲンランプ１０のランプ切れエラーの際にディスプレイ１３２に表示されるエラー詳細情報の例である。なお、ハロゲンランプ１０のランプ切れは、ランプ検知器１０ａにより検知される。主制御部５２は、ランプ検知器１０ａの検知信号によりランプ切れエラーを判定し、そのエラーの種別を示すエラー信号を表示制御部５０及びＰＣ１３０に出力する。図４（ａ）では、ランプ切れエラーを示すエラーコード２０１、そのエラー内容２０２、対処方法２０３、ランプ交換の対処に当たっての注意事項２０４等が表示されている。図４（ｂ），（ｃ）では、対処方法の詳細な手順２０５，２０６と、ランプ交換の対処を容易とするためにランプの場所を示すグラフィック２１０，２１１が表示されている。
【００２２】
図５は、ＰＣカード６０の読み込み／書き込みエラーの際に表示されるエラー詳細情報の例である。この例では、ＰＣカード６０の読み込み／書き込みエラーを示すエラーコード２２０の他、そのエラー内容２２１、エラーの原因２２２、エラーの対処方法（手順）２２３などが表示されている。ＰＣカード６０の読み込み／書き込みエラーは、主制御部５２によって検知される。
【００２３】
このように、眼底カメラ１００側のエラーコードの表示のみでは理解できない内容や対処方法が、モニタ１０３よりも表示機能が優れたディスプレイ１３２を利用して表示されるので、取扱い説明書が手元に無くても、必要とする情報を容易に確認でき、エラーのリカバリーをスムーズに行うことができる。なお、図４（ａ），（ｂ），（ｃ）のように、1画面で表示しきれない情報は、マウス１３４を使用して画面をスクロールして見ることができる。
【００２４】
以上はエラー発生時にＰＣ１３０が持つディスプレイ１３２の表示機能を使用する例を説明したが、操作者をアシストするためにディスプレイ１３２の表示機能をさらに次のように利用することも可能である。
【００２５】
図６は、撮影モード時にディスプレイ１３２に表示されるアシスト表示の例である。表示画面の中央には、撮影モード時に眼底カメラ１００側のモニタ１０３に表示される画面図３００が表示されている。撮影モード時のモニタ１０３の画面には、現在のモードが撮影モードであること示す表示、患者ＩＤ、フォーカスポジションの設定状態、観察照明光量の設定状態、フラッシュ光量の設定状態、等を示す表示がアイコンや文字等で表示されている。その画面３００の回りには、モニタ１０３の画面で表示されている各種のアイコンや文字の内容を説明するための詳細情報が表示されている。操作パネル１０４に設けられたモード切換えスイッチにより撮影モードに切換えられると、主制御部５２はその切換え信号を表示制御部５０及びＰＣ１３０に出力する。表示制御部５０は、切換え信号に応じてモニタ１０３の画面を切換える。ＰＣ１３０の制御ユニット１３１は、眼底カメラ１００からの切換え信号を受信すると、そのアシスト表示のプログラムを起動し、そのモード切換え信号に対応したアシスト情報を呼び出し、これをディスプレイ１３２に表示する。すなわち、撮影モードの切換時には、図６のように、画面図３００の回りに操作者をアシストするための詳細情報が表示される。さらに、各動作モードの切換えに応じて操作手順を説明する情報を表示すると、より操作者をアシストできる。例えば、撮影モードにおいては、その撮影手順や撮影時に操作が必要な操作パネルのスイッチについての操作説明を表示する。このような表示により、操作者や取扱い説明者が手元に無くても、必要とする情報を容易に確認できる。
【００２６】
眼底カメラ１００の動作モードとしては、撮影モード（アライメントモード）の他、ＰＣカード６０に記憶した画像を呼び出して再生する画像再生モード、ＰＣカード６０に記憶した複数の画像を表示して編集する画像データ管理モード、眼底カメラ１００の各種の設定を行うためのメニューモード、等が用意されている。これらの各動作モードに切換えた場合も、モニタ１０３に表示される画面の表示情報がその動作モードそれぞれ異なるので、それぞれの画面に応じてアシスト情報が用意されている。例えば、画像再生モードの画面においては、画像再生モードであることを示す表示、再生画像のフラッシュ光量、撮影画像の撮影日時、等である。
【００２７】
以上の図４、図５、図６で示したエラー詳細情報やアシスト詳細情報の表示においては、操作者（撮影者）の習熟度に応じて段階的な内容の表示に切換え可能にすると良い。すなわち、初心者の場合には、図４のように詳細な情報を表示するが、ある程度習熟した者が撮影者となる場合には、簡易的な詳細説明のみで表示を見易くする。これは、制御ユニット１３１に持たせた表示プログラムにおいて選択可能にしておけば良い。
【００２８】
以上、説明したこれら実施形態は眼底カメラに限るものではなく、電子撮像素子を取り付けたスリットランプや、多数のリングを角膜に投影してその撮影像から角膜トポグラフィを測定する角膜形状測定装置等の眼科撮影装置においても、本発明を適用可能である。
【図面の簡単な説明】
【００２９】
【図１】実施形態の眼科撮影装置システムの概略構成図である。
【図２】眼底カメラの光学系及び制御系の概略構成図である。
【図３】エラー表示／終了フローチャートである。
【図４】ランプ切れエラーの際に表示されるエラー詳細情報の例である。
【図５】ＰＣカードの読み込み／書き込みエラーの際に表示されるエラー詳細情報の例である。
【図６】撮影モード時のアシスト表示の例である。
【符号の説明】
【００３０】
１  照明光学系
２  撮影光学系
３  観察光学系
１０  ハロゲンランプ
１０ａ  ランプ検知器
２７  ＣＣＤカメラ
３２  ＣＣＤカメラ
５０  表示制御部
５２  主制御部
６０    ＰＣカード
１００  眼底カメラ
１０３  モニタ
１２０  ケーブル
１３０  コンピュータ
１３１  制御ユニット
１３２  ディスプレイ
【図１】
2006042939.tif 000003
【図２】
2006042939.tif 000004
【図３】
2006042939.tif 000005
【図４】
2006042939.tif 000006
【図５】
2006042939.tif 000007
【図６】
2006042939.tif 000008